(57)【要約】【課題】ＲＯＨＣ制御におけるフィードバックパケットを適切な無線基地局に対して送信する。【解決手段】本発明に係る無線基地局ｅＮＢ＃１は、移動局ＵＥに対して、ＲＯＨＣ制御における「ｐｉｇｇｙ  ｂａｃｋ（フィードバックパケットをデータパケットに乗せて運ぶこと）」を禁止する指示情報を送信するように構成されている送信部１２を具備する。【選択図】図４
2014179865.tif 000002
【特許請求の範囲】
【請求項１】
移動局に対して、ＲＯＨＣ制御におけるフィードバックパケットをデータパケットに乗せて運ぶことを禁止する指示情報を送信するように構成されている送信部を具備することを特徴とするネットワーク装置。
【請求項２】
前記指示情報は、前記フィードバックパケットを送信すべき無線基地局又はセルを指定するように構成されていることを特徴とする請求項１に記載のネットワーク装置。
【請求項３】
前記送信部は、前記移動局による上りリンクパケットの送信先の無線基地局と該移動局による下りリンクパケットの受信先無線基地局とが異なる場合にのみ、前記指示情報を送信するように構成されていることを特徴とする請求項１又は２に記載のネットワーク装置。
【請求項４】
前記送信部は、前記移動局用の音声ベアラが設定されている場合にのみ、前記指示情報を送信するように構成されていることを特徴とする請求項１又は２に記載のネットワーク装置。
【請求項５】
ＲＯＨＣ制御におけるフィードバックパケットを生成するように構成されている生成部を具備しており、
前記生成部は、ネットワーク装置から受信した指示情報に基づいて、前記フィードバックパケットをデータパケットに乗せて運ぶか否かについて判定するように構成されていることを特徴とする移動局。
【請求項６】
前記指示情報は、前記フィードバックパケットを送信すべき無線基地局又はセルを指定するように構成されていることを特徴とする請求項５に記載の移動局。
【発明の詳細な説明】
【技術分野】
【０００１】
本発明は、ネットワーク装置及び移動局に関する。
【背景技術】
【０００２】
音声パケットのようなデータ量の小さいパケットでは、ペイロードのデータ量に対するヘッダのデータ量が多く、かかるパケットを全てそのまま送受信すると、無線リソースの浪費を招く。
【０００３】
そこで、ＬＴＥ（Ｌｏｎｇ  Ｔｅｒｍ  Ｅｖｏｌｕｔｉｏｎ）方式では、図５に示すように、このようなパケットに対してヘッダ圧縮を施すことで、無線リソースの浪費を回避するように構成されている（例えば、非特許文献１及び２参照）。
【０００４】
かかるヘッダ圧縮は、ＰＤＣＰ（Ｐａｃｋｅｔ  Ｄａｔａ  Ｃｏｎｖｅｒｇｅｎｃｅ  Ｐｒｏｔｏｃｏｌ）レイヤにおけるＲＯＨＣ（ＲＯｂｕｓｔ  Ｈｅａｄｅｒ  Ｃｏｍｐｒｅｓｓｉｏｎ）制御によって行われる。
【０００５】
かかるＲＯＣＨ制御では、図６に示すように、送信側の「Ｃｏｍｐｒｅｓｓｏｒ」は、受信側の「Ｄｅｃｏｍｐｒｅｓｓｏｒ」と共通で保持しているコンテクスト情報を用いてヘッダ圧縮を行うように構成されている。
【０００６】
一方、受信側の「Ｄｅｃｏｍｐｒｅｓｓｏｒ」は、送信側の「Ｃｏｍｐｒｅｓｓｏｒ」と共通で保持しているコンテクスト情報を用いて、受信したパケットのヘッダを元に戻すように構成されている。
【０００７】
受信側の「Ｄｅｃｏｍｐｒｅｓｓｏｒ」は、受信したパケットのヘッダを元に戻した後、ＣＲＣ（Ｃｙｃｌｉｃ  Ｒｅｄｕｎｄａｎｔ  Ｃｈｅｃｋ）を行い、受信したパケットのヘッダが正常に復元できたか否かについて確認するように構成されている。
【０００８】
仮に、かかるヘッダが正常に復元できなかった場合、例えば、無線区間において大量のパケットが欠落し、受信側の「Ｄｅｃｏｍｐｒｅｓｓｏｒ」と送信側の「Ｃｏｍｐｒｅｓｓｏｒ」との間で用いるコンテクスト情報の不一致が発生した場合、受信側の「Ｄｅｃｏｍｐｒｅｓｓｏｒ」は、送信側の「Ｃｏｍｐｒｅｓｓｏｒ」に対して、フィードバックパケットを送信して、かかるコンテクスト情報の不一致を通知するように構成されている。
【０００９】
ここで、送信側の「Ｃｏｍｐｒｅｓｓｏｒ」は、かかるフィードバックパケットを受信すると、受信側の「Ｄｅｃｏｍｐｒｅｓｓｏｒ」に対して、用いるべきコンテクスト情報を一致させるための情報を送信するように構成されている。
【００１０】
なお、受信側の「Ｄｅｃｏｍｐｒｅｓｓｏｒ」は、上述のフィードバックパケットを単独で送信してもよいし、フィードバックパケットをデータパケットに乗せて運んでもよい（すなわち、フィードバックパケットをデータパケットに「ｐｉｇｇｙ  ｂａｃｋ」してもよい）。
【００１１】
また、ＬＴＥ方式のＲｅｌｅａｓｅ-１０において、２０ＭＨｚを超える広帯域通信（例えば、１００Ｈｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行うＣＡ（Ｃａｒｒｉｅｒ  Ａｇｇｒｅｇａｔｉｏｎ：キャリアアグリゲーション）、すなわち、「Ｉｎｔｒａ-ｅＮＢ  ＣＡ」が導入された（図７（ａ）参照）。
【００１２】
その後、ＬＴＥ方式のＲｅｌｅａｓｅ-１２以降で、「Ｓｍａｌｌ  Ｃｅｌｌ  ｅｎｈａｎｃｅｍｅｎｔ」が提案され、従来よりも更に柔軟なネットワークアーキテクチャの１つとして、異なる無線基地局ｅＮＢ配下のＣＣ（セル）を束ねて通信を行う「Ｉｎｔｅｒ-ｅＮＢ  ＣＡ」の導入が検討されている。
【００１３】
例えば、「Ｉｎｔｅｒ-ｅＮＢ  ＣＡ」を用いて、信頼性の必要なＣ-ｐｌａｎｅ信号については、ＳＲＢ（Ｓｉｇｎａｌｉｎｇ  Ｒａｄｉｏ  Ｂｅａｒｅｒ）を介して無線基地局ｅＮＢ＃１配下のセル＃１（マクロセル）で通信を行い、広帯域通信の必要なＵ-ｐｌａｎｅ信号については、ＤＲＢ（Ｄａｔａ  Ｒａｄｉｏ  Ｂｅａｒｅｒ）を介して無線基地局ｅＮＢ＃１１配下のセル＃１１（スモールセル）で通信を行うといった運用も考えられる（図７（ｂ）参照）。
【００１４】
また、「Ｉｎｔｅｒ-ｅＮＢ  ＣＡ」における運用形態の１つとして、ある移動局用の下りリンクパケット及び上りリンクパケットの送受信を異なる無線基地局ｅＮＢが行うことが検討されている。
【００１５】
具体的には、図８に示すように、セル＃１（マクロセル）を管理する無線基地局ｅＮＢ＃１が、移動局ＵＥに対して、下りリンクパケットを送信し、移動局ＵＥが、セル＃１１（スモールセル）を管理する無線基地局ｅＮＢ＃１１に対して、上りリンクパケットを送信することが検討されている。
【００１６】
一方、スケジューラは、各無線基地局ｅＮＢに搭載されるため、図８に示すように、上りリンクパケットに対するフィードバックパケット（ＭＡＣ/ＲＬＣ-ＡＣＫ/ＮＡＣＫ）は、無線基地局ｅＮＢ＃１１から移動局ＵＥに対して送信され、下りリンクパケットに対するフィードバックパケット（ＭＡＣ/ＲＬＣ-ＡＣＫ/ＮＡＣＫ）は、移動局ＵＥから無線基地局ｅＮＢ＃１に対して送信される必要がある。
【先行技術文献】
【非特許文献】
【００１７】
【非特許文献１】３ＧＰＰ  ＴＳ３６.３２３
【非特許文献２】ＲＦＣ３０９５
【非特許文献３】３ＧＰＰ  ＴＳ３６.３００
【発明の概要】
【発明が解決しようとする課題】
【００１８】
しかしながら、図８に示すような運用形態が取られる場合には、移動局ＵＥは、送信すべきパケットがデータパケット（Ｄａｔａ-ＰＤＵ：Ｐｒｏｔｏｃｏｌ  Ｄａｔａ  Ｕｎｉｔ）であるのか或いはフィードバックパケット（Ｃｏｎｔｒｏｌ-ＰＤＵ）であるかについて判定し、かかるパケットの送信先無線基地局ｅＮＢを決定する必要がある。
【００１９】
この点、移動局ＵＥは、パケット（ＰＣＵ）内の所定ビットフィールドに基づいて、データパケット及び制御パケット（フィードバックパケット）を区別することができる。
【００２０】
しかしながら、ＲＯＨＣ制御におけるフィードバックパケットをデータパケットに「ｐｉｇｇｙ  ｂａｃｋ」するか否かは、移動局ＵＥの実装マターとなっている。
【００２１】
ここで、移動局ＵＥは、フィードバックパケットがデータパケットに「ｐｉｇｇｙ  ｂａｃｋ」されている場合、かかるフィードバックパケットを適切な無線基地局ｅＮＢに対して送信することができない可能性があるという問題点があった。
【００２２】
その結果、無線基地局ｅＮＢの「Ｃｏｍｐｒｅｓｓｏｒ」と移動局ＵＥの「Ｄｅｃｏｍｐｒｅｓｓｏｒ」との間でコンテクスト情報の不一致が発生してしまうという問題点があった。
【００２３】
そこで、本発明は、上述の課題に鑑みてなされたものであり、ＲＯＨＣ制御におけるフィードバックパケットを適切な無線基地局に対して送信することができるネットワーク装置及び移動局を提供することを目的とする。
【課題を解決するための手段】
【００２４】
本発明の第１の特徴は、ネットワーク装置であって、移動局に対して、ＲＯＨＣ制御におけるフィードバックパケットをデータパケットに乗せて運ぶことを禁止する指示情報を送信するように構成されている送信部を具備することを要旨とする。
【００２５】
本発明の第２の特徴は、移動局であって、ＲＯＨＣ制御におけるフィードバックパケットを生成するように構成されている生成部を具備しており、前記生成部は、ネットワーク装置から受信した指示情報に基づいて、前記フィードバックパケットをデータパケットに乗せて運ぶか否かについて判定するように構成されていることを要旨とする。
【発明の効果】
【００２６】
以上説明したように、本発明によれば、ＲＯＨＣ制御におけるフィードバックパケットを適切な無線基地局に対して送信することができるネットワーク装置及び移動局を提供することができる。
【図面の簡単な説明】
【００２７】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動局の動作を示すフローチャートである。
【図５】従来技術を説明するための図である。
【図６】従来技術を説明するための図である。
【図７】従来技術を説明するための図である。
【図８】従来技術を説明するための図である。
【発明を実施するための形態】
【００２８】
（本発明の第１の実施形態に係る移動通信システム）
図１乃至図４を参照して、本発明の第１の実施形態に係る移動通信システムについて説明する。
【００２９】
図１に示すように、本実施形態に係る移動通信システムは、セル＃１を管理する無線基地局ｅＮＢ＃１と、セル＃１１を管理する無線基地局ｅＮＢ＃１１とを具備している。
【００３０】
ここで、セル＃１１は、スモールセル（ファントムセル）であり、セル＃１は、マクロセルである。なお、セル＃１１のカバレッジエリアと、セル＃１のカバレッジエリアのカバレッジエリアとは、少なくとも一部で重なるように配置されている。
【００３１】
なお、無線基地局ｅＮＢ＃１は、マクロ無線基地局（Ｍａｃｒｏ-ｅＮＢ）と呼ばれてもよく、無線基地局ｅＮＢ＃１１は、スモール無線基地局（Ｓｍａｌｌ-ｅＮＢ）やファントム無線基地局（Ｐｈａｎｔｏｍ-ｅＮＢ）と呼ばれてもよい。
【００３２】
また、本実施形態に係る移動通信システムは、ＬＴＥ方式の移動通信システムであって、かかる本実施形態に係る移動通信システムにおいて、移動局ＵＥは、「Ｉｎｔｅｒ-ｅＮＢ  ＣＡ」を行うことができるように構成されている。
【００３３】
なお、本実施形態に係る移動通信システムでは、移動局ＵＥは、無線基地局ｅＮＢ＃１配下のセル＃１及び無線基地局ｅＮＢ＃１１配下のセル＃１１を介して「Ｉｎｔｅｒ-ｅＮＢ  ＣＡ」を行っているものとする。
【００３４】
具体的には、本実施形態に係る移動通信システムでは、無線基地局ｅＮＢ＃１が、移動局ＵＥに対して、下りリンクパケットを送信し、移動局ＵＥが、無線基地局ｅＮＢ＃１１に対して、上りリンクパケットを送信するように構成されている。
【００３５】
また、本実施形態に係る移動通信システムでは、上りリンクパケットに対するフィードバックパケット（ＭＡＣ/ＲＬＣ-ＡＣＫ/ＮＡＣＫ）は、無線基地局ｅＮＢ＃１１から移動局ＵＥに対して送信され、下りリンクパケットに対するフィードバックパケット（ＭＡＣ/ＲＬＣ-ＡＣＫ/ＮＡＣＫ）は、移動局ＵＥから無線基地局ｅＮＢ＃１に対して送信されるように構成されている。
【００３６】
図２に示すように、本実施形態に係る無線基地局ｅＮＢ＃１は、管理部１１と、送信部１２とを具備している。
【００３７】
管理部１１は、移動局ＵＥとの間で行われるＲＯＨＣ制御で用いられるコンテクスト情報を管理するように構成されている。
【００３８】
また、管理部１１は、「Ｉｎｔｅｒ-ｅＮＢ  ＣＡ」に係る情報や、移動局ＵＥとの間で設定されているベアラに係る情報等を管理するように構成されている。
【００３９】
送信部１２は、移動局ＵＥに対して各種信号を送信するように構成されている。例えば、送信部１２は、移動局ＵＥに対して、ＲＯＨＣ制御における「ｐｉｇｇｙ  ｂａｃｋ」を禁止する指示情報を送信するように構成されている。
【００４０】
ここで、かかる指示情報は、フィードバックパケットを送信すべき無線基地局ｅＮＢ又はセルを指定するように構成されていてもよい。
【００４１】
また、送信部１２は、移動局ＵＥによる上りリンクパケットの送信先の無線基地局ｅＮＢと該移動局ＵＥによる下りリンクパケットの受信先無線基地局ｅＮＢとが異なる場合にのみ、上述の指示情報を送信するように構成されていてもよい。
【００４２】
或いは、送信部１２は、移動局ＵＥ用の音声ベアラが設定されている場合にのみ、上述の指示情報を送信するように構成されていてもよい。
【００４３】
なお、送信部１２は、ＲＲＣレイヤやＰＤＣＰPレイヤやＲＬＣレイヤやＭＡＣレイヤや物理レイヤの任意のレイヤの信号を介して、かかる指示情報を送信するように構成されていてもよい。
【００４４】
ここで、図２に示す機能について、無線基地局ｅＮＢ＃１の代わりに、無線基地局ｅＮＢ＃１１や移動管理ノードＭＭＥ等のネットワーク装置に設けられていてもよい。
【００４５】
図３に示すように、本実施形態に係る移動局ＵＥは、受信部２１と、生成部２２と、送信部２３とを具備している。
【００４６】
受信部２１は、無線基地局ｅＮＢ＃１や無線基地局ｅＮＢ＃１１等から各種信号を受信するように構成されている。
【００４７】
例えば、本実施形態に係る移動通信システムでは、受信部２１は、無線基地局ｅＮＢ＃１から下りリンクパケットを受信し、無線基地局ｅＮＢ＃１１から上りリンクパケットに対するフィードバックパケットを受信するように構成されている。
【００４８】
また、受信部２１は、無線基地局ｅＮＢ＃１から、上述の指示情報を受信するように構成されている。なお、受信部２１は、無線基地局ｅＮＢ＃１の代わりに、無線基地局ｅＮＢ＃１１や移動管理ノードＭＭＥ等から、上述の指示情報を受信するように構成されていてもよい。
【００４９】
生成部２２は、送信すべき上りリンクパケット及び下りリンクパケットに対するフィードバックパケット等を生成するように構成されている。
【００５０】
ここで、生成部２２は、無線基地局ｅＮＢ＃１等から受信した指示情報に基づいて、かかるフィードバックパケットをデータパケットに「ｐｉｇｇｙ  ｂａｃｋ」すべきか否かについて判定するように構成されている。
【００５１】
例えば、上述の指示情報が、ＲＯＨＣ制御における「ｐｉｇｇｙ  ｂａｃｋ」を禁止している場合、生成部２２は、かかるフィードバックパケットをデータパケットに「ｐｉｇｇｙ  ｂａｃｋ」することなく、単独の上りリンクパケット（Ｃｏｎｔｒｏｌ-ＰＤＵ）として生成するように構成されている。
【００５２】
一方、上述の指示情報が、ＲＯＨＣ制御における「ｐｉｇｇｙ  ｂａｃｋ」を禁止していない場合、生成部２２は、かかるフィードバックパケットをデータパケットに「ｐｉｇｇｙ  ｂａｃｋ」するように構成されている。
【００５３】
送信部２３は、無線基地局ｅＮＢ＃１や無線基地局ｅＮＢ＃１１等に対して各種信号を送信するように構成されている。
【００５４】
例えば、本実施形態に係る移動通信システムでは、送信部２２は、無線基地局ｅＮＢ＃１１に対して上りリンクパケットを送信し、無線基地局ｅＮＢ＃１に対して下りリンクパケットに対するフィードバックパケットを送信するように構成されている。
【００５５】
ここで、送信部２３は、送信すべきパケット内の所定ビットフィールドに基づいて、かかるパケットがデータパケット（Ｄａｔａ-ＰＤＵ）或いは制御パケット（Ｃｏｎｔｒｏｌ-ＰＤＵ）のどちらであるのかについて判定し、かかるパケットの送信先無線基地局ｅＮＢを決定するように構成されている。
【００５６】
以下、図４を参照して、本実施形態に係る移動通信システムの動作について、具体的には、本実施形態に係る移動局ＵＥの動作について説明する。
【００５７】
図４に示すように、移動局ＵＥは、ステップＳ１０１において、下りリンクパケットに対するフィードバックパケットを生成すると、ステップＳ１０２において、送信すべきデータパケットが発生しているか否かについて判定する。
【００５８】
「Ｙｅｓ」の場合、本動作は、ステップＳ１０３に進み、「Ｎｏ」の場合、本動作は、ステップＳ１０５に進む。
【００５９】
ステップＳ１０３において、移動局ＵＥは、ネットワーク装置から受信した指示情報に基づいて、ＲＯＨＣ制御における「ｐｉｇｇｙ  ｂａｃｋ」が禁止されているか否かについて判定する。
【００６０】
「Ｎｏ」の場合、本動作は、ステップＳ１０４に進み、「Ｙｅｓ」の場合、本動作は、ステップＳ１０５に進む。
【００６１】
ステップＳ１０４において、移動局ＵＥは、かかるフィードバックパケットをデータパケットに「ｐｉｇｇｙ  ｂａｃｋ」して無線基地局ｅＮＢ＃１１に対して送信する。
【００６２】
ステップＳ１０５において、移動局ＵＥは、かかるフィードバックパケットをデータパケットに「ｐｉｇｇｙ  ｂａｃｋ」することなく単独で無線基地局ｅＮＢ＃１に対して送信する。
【００６３】
以上に述べた本実施形態の特徴は、以下のように表現されていてもよい。
【００６４】
本実施形態の第１の特徴は、無線基地局ｅＮＢ＃１（ネットワーク装置）であって、移動局ＵＥに対して、ＲＯＨＣ制御における「ｐｉｇｇｙ  ｂａｃｋ（フィードバックパケットをデータパケットに乗せて運ぶこと）」を禁止する指示情報を送信するように構成されている送信部１２を具備することを要旨とする。
【００６５】
かかる特徴によれば、ＲＯＨＣ制御における「ｐｉｇｇｙ  ｂａｃｋ」を禁止することで、移動局ＵＥが、フィードバックパケットがデータパケットに「ｐｉｇｇｙ  ｂａｃｋ」することに起因して、かかるフィードバックパケットを適切な無線基地局ｅＮＢに対して送信することができない可能性があるという事態を回避することができる。
【００６６】
本実施形態の第１の特徴において、上述の指示情報は、フィードバックパケットを送信すべき無線基地局ｅＮＢ又はセルを指定するように構成されていてもよい。
【００６７】
かかる特徴によれば、移動局ＵＥに対して、上述のフィードバックパケットの送信先無線基地局ｅＮＢ（送信先セル）を明示的に指示することができる。
【００６８】
本実施形態の第１の特徴において、送信部１２は、移動局ＵＥによる上りリンクパケットの送信先の無線基地局ｅＮＢと該移動局ＵＥによる下りリンクパケットの受信先無線基地局ｅＮＢとが異なる場合にのみ、上述の指示情報を送信するように構成されていてもよい。
【００６９】
かかる特徴によれば、上述のフィードバックパケットを適切な無線基地局ｅＮＢに対して送信することができない可能性がある場合にのみ、ＲＯＨＣ制御における「ｐｉｇｇｙ  ｂａｃｋ」を禁止することで、「ｐｉｇｇｙ  ｂａｃｋ」による無線リソースの有効活用という利点を最大限尊重することができる。
【００７０】
本実施形態の第１の特徴において、送信部１２は、移動局ＵＥ用の音声ベアラが設定されている場合にのみ、上述の指示情報を送信するように構成されていてもよい。
【００７１】
かかる特徴によれば、上述のフィードバックパケットを適切な無線基地局ｅＮＢに対して送信することができない可能性がある場合にのみ、ＲＯＨＣ制御における「ｐｉｇｇｙ  ｂａｃｋ」を禁止することで、「ｐｉｇｇｙ  ｂａｃｋ」による無線リソースの有効活用という利点を最大限尊重することができる。
【００７２】
本実施形態の第２の特徴は、移動局ＵＥであって、ＲＯＨＣ制御におけるフィードバックパケットを生成するように構成されている生成部２２を具備しており、生成部２２は、無線基地局ｅＮＢ＃１（ネットワーク装置）から受信した指示情報に基づいて、かかるフィードバックパケットをデータパケットに乗せて運ぶか否かについて判定するように構成されていることを要旨とする。
【００７３】
かかる特徴によれば、移動局ＵＥが、ネットワーク装置からの指示に応じて、フィードバックパケットがデータパケットに「ｐｉｇｇｙ  ｂａｃｋ」しないことで、フィードバックパケットがデータパケットに「ｐｉｇｇｙ  ｂａｃｋ」することに起因して、かかるフィードバックパケットを適切な無線基地局ｅＮＢに対して送信することができない可能性があるという事態を回避することができる。
【００７４】
本実施形態の第２の特徴において、上述の指示情報は、上述のフィードバックパケットを送信すべき無線基地局ｅＮＢ又はセルを指定するように構成されていてもよい。
【００７５】
かかる特徴によれば、移動局ＵＥは、かかる指示情報に基づいて、上述のフィードバックパケットの送信先無線基地局ｅＮＢ（送信先セル）を明確に把握することができる。
【００７６】
なお、上述の移動局ＵＥや無線基地局ｅＮＢ＃１/ｅＮＢ＃１１の動作は、ハードウェアによって実施されてもよいし、プロセッサによって実行されるソフトウェアモジュールによって実施されてもよいし、両者の組み合わせによって実施されてもよい。
【００７７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃１１内に設けられていてもよい。また、かかる記憶媒体及びプロセッサは、ディスクリートコンポーネントとして移動局ＵＥや無線基地局ｅＮＢ＃１/ｅＮＢ＃１１内に設けられていてもよい。
【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８０】
ｅＮＢ＃１、ｅＮＢ＃１１…無線基地局
ＵＥ…移動局
１１…管理部
１２、２３…送信部
２１…受信部
２２…生成部
【図１】
2014179865.tif 000003
【図２】
2014179865.tif 000004
【図３】
2014179865.tif 000005
【図４】
2014179865.tif 000006
【図５】
2014179865.tif 000007
【図６】
2014179865.tif 000008
【図７】
2014179865.tif 000009
【図８】
2014179865.tif 000010